(57)【要約】【課題】  複数の着物地の反物を利用してロールカーテンなどのカーテン用布地を製造する方法を提供する。【解決手段】カーテン用布地の製造方法であって、次の（ａ）乃至（ｄ）の工程を含むもの。（ａ）同種又は異種の２枚の着物地を表合わせに重ねるステップと、（ｂ）前記重ね合わせた着物地の一端を超音波ミシンにより切断することにより、その切断部分で前記２枚の着物地を仮接着するステップと、（ｃ）前記（ａ）及び（ｂ）の工程を必要回数だけ繰り返すステップと、（ｄ）前記仮接着した着物地の裏側に熱融着フィルムからなる連続した一枚の裏芯地を重ね合わせ、フラットプレスにより前記仮接着した着物地に前記熱融着フィルムを加熱圧着するステップ。【選択図】図３
2006314360.tif 000002
【特許請求の範囲】
【請求項１】
カーテン用布地の製造方法であって、次の（ａ）乃至（ｄ）の工程を含むもの。
（ａ）同種又は異種の２枚の着物地を表合わせに重ねるステップと、
（ｂ）前記重ね合わせた着物地の一端を超音波ミシンにより切断することにより、その切断部分で前記２枚の着物地を仮接着するステップと、
（ｃ）前記（ａ）及び（ｂ）の工程を必要回数だけ繰り返すステップと、
（ｄ）前記仮接着した着物地の裏側に熱融着フィルムからなる連続した一枚の裏芯地を重ね合わせ、フラットプレスにより前記仮接着した着物地に前記熱融着フィルムを加熱圧着するステップ。
【請求項２】
前記ステップ（ａ）の前に、ステップ（ａ）で使用する着物地の裏地に予め熱融着フィルムを加熱圧着するステップを更に含むことを特徴とする請求項１記載のカーテン用布地の製造方法。
【発明の詳細な説明】
【技術分野】
【０００１】
本発明は、着物地を利用したカーテン用布地の製造方法に関する。
【背景技術】
【０００２】
ロールカーテンに使用されるカーテン布地としては、適度な張り腰を与えて巻き取りを容易とするためのロールカーテン専用の生地を用いるのが一般的であった。また、生地（表地）の表面に透明フィルムなどで被覆処理を施すことにより、ロールカーテン用のカーテン布地を製造するものなどが知られている。
【０００３】
近年は生地本来が持つ独自の風合いを活かすために、表面の被覆処理に代えて、熱融着性の芯地（裏芯地）を貼り付けるものが知られている（例えば、特許文献１参照。）。この方法によれば、織物や染め物などの着物地（着物地の材料はシルク、ポリエステルなどが一般的である。）をロールカーテン用の生地として利用することが可能となる。
【０００４】
【特許文献１】特開２０００−３０８５６７号公報
【発明の開示】
【発明が解決しようとする課題】
【０００５】
しかし、着物地は反物とよばれる一定の幅の巻物単位で流通することが一般的であり、ロールカーテンその他のインテリア用品として用いる場合には、窓ガラス等必要な幅に満たないため、反物の着物地をそのままカーテン用生地として利用することができない。
【０００６】
また、ロールカーテンは室内の装飾を彩るインテリア用品であるため、意匠性に富んだ様々なデザイン・風合いのものを用意できることが望まれるところ、現状では、カーテン用布地専用に着物地を製造しなければならないので選択の幅が狭められ、広く流通している着物の反物を利用することができない。
【０００７】
本発明は、上記に鑑みてなされたものであり、広く流通している着物の反物を利用してロールカーテン用の布地を提供することを技術的課題とし、複数の着物地の反物を利用してロールカーテンなどのカーテン用布地を製造する方法を提供することを目的とする。
【課題を解決するための手段】
【０００８】
本発明に係るカーテン用布地の製造方法は、
（ａ）同種又は異種の２枚の着物地を表合わせに重ねるステップと、
（ｂ）前記重ね合わせた着物地の一端を超音波ミシンにより切断することにより、その切断部分で前記２枚の着物地を仮接着するステップと、
（ｃ）前記（ａ）及び（ｂ）の工程を必要回数だけ繰り返すステップと、
（ｄ）前記仮接着した着物地の裏側に熱融着フィルムからなる連続した一枚の裏芯地を重ね合わせ、フラットプレスにより前記仮接着した着物地に前記熱融着フィルムを加熱圧着するステップと、
を備えていることを特徴とする。
【０００９】
着物地がポリエステルを含まない絹製の場合には、超音波ミシンで切断しても仮接着できないか或いは接着力が弱いため、その後のステップを実行することが困難となる。そこで、ステップ（ａ）の前に、ステップ（ａ）で使用する着物地の裏地に予め熱融着フィルムを加熱圧着しておいてもよい。
【００１０】
以上のようにして得られたカーテン用布地は、共通の裏芯地の上に、同種又は異種のポリエステル製着物地が殆ど継ぎ目なくつながった状態で加熱圧着してなるため、一般に流通している着物の反物を必要な数だけ横につなげることができ、装飾により一層の変化を与えることができる。
【発明を実施するための最良の形態】
【００１１】
図１（ａ）は、本発明に係るロールカーテンに用いられるカーテン用布地を示す全体斜視図であり、図１（ｂ）は（ａ）のＡ−Ａ線断面図である。
【００１２】
図１に示すカーテン用布地１０は、両側に設けられた第１の着物地１（１ａ，１ｂ）と中央に設けられた第２の着物地２とが、共通の裏芯地５の上に貼り付けられた構造である。裏芯地とは、裏側に貼り付ける熱融着フィルムを意味する。なお、本発明でいう熱融着フィルムとは、フィルム状又はシート状の熱融着性材料であればよく、その厚みはロール状、パネル状などカーテンの形状に合わせて適宜選択することが好ましい。また、デザイン性を考慮して、両側の着物地１（１ａ，１ｂ）は、同一の色柄の生地を用いた例を示しているが、異なる色柄の生地を用いてもよい。
【００１３】
図１（ｂ）に示すように、このカーテン用布地１０の生地の境目は肉眼では殆ど継ぎ目が目立たず、隙間なくぴったりと連続した１枚の生地のように見える。裏芯地５は熱融着フィルムが高温で加熱圧着された連続した１枚のシートからなる。
【００１４】
次に、このカーテン用布地１０及びこれを利用したロールカーテンの製造方法について、図２乃至図５を参照して説明する。
【００１５】
図２（ａ）乃至（ｃ）及び図３（ｄ）乃至（ｆ）は、カーテン用布地１０を製造する工程を、図５（ａ）及び（ｂ）は、そこからロールカーテンを製造するまでの工程を夫々示している。
【００１６】
ここで、出発材料である着物地について説明する。着物地には、絹製、ポリエステル製等の化学繊維製のものがあり、本発明では、いずれの着物地も用いることができる。ただし、後述するように、絹１００％の着物地の場合、超音波ミシン等による仮接着ができないため、ここではポリエステル製の着物地を出発材料として説明するものとする。
【００１７】
まず、図２（ａ）に示すように、ポリエステル１００％の着物地を必要な長さだけ切り取り、表合わせに（表同士が向き合うようにして）重ねる。
次に、図２（ｂ）に示すように、重ね合わせた着物地の端部を、超音波ミシンで切断する。こうすると、ポリエステル製の着物地は超音波ミシンの切断部で融着する。ただし、この融着の接着力は弱く、図２（ｃ）のように、広げても外れないが強い力で引っ張ると容易に外れる程度の、いわば仮接着というべきものである。なお、ここでいう超音波ミシンとは、レーザーなど一定の熱エネルギーを付与しつつ、着物地を切断できるものであればよい。
ここで、必要により図２（ａ）の工程を繰り返すことにより、さらに同種又は異種の着物地を表合わせに貼り合わせて超音波ミシンで切断し、仮接着しておいてもよい。
【００１８】
次に、図３（ｄ）に示すように、必要な仮接着が終了した後、裏面側が上になるようにして全体を広げる。必要により、図４（ａ）及び（ｂ）の工程図に示すように、フラットローラー７により、仮接着部の突起部を押しつぶして平坦にしておく。
次に、裏面に裏芯地５を貼付け、フラットプレス６で加熱圧着する。加熱温度は表地及び裏芯地の種類や厚さなどにより異なるが、例えば１４０℃程度である。
次に、全体の幅を調整するため、用途に応じて両サイドを必要な幅に切断する。この際、超音波ミシンを用いて切断すると端部の処理が簡便であり好ましい。
以上の工程により、着物地を利用したカーテン用布地１０が完成する。
【００１９】
なお、上記のようにポリエステル製の着物地の場合、超音波ミシンによって切断すると切断部同士が高温で融着するため、自動的に仮接着が行われるが、絹１００％のように、超音波ミシンで切断しただけでは、仮接着が行われないものもある。この場合、予め絹製の着物地に裏芯地を加熱圧着して取り付けておくと、よい。
このようにすると、ポリエステル製の着物地でなくてもポリエステル製の着物地と同様に超音波ミシンで切断するだけで容易に切断面が仮接着される。
【００２０】
ロールカーテンにする場合、さらに、図５（ａ）に示すように、カーテン用布地１０に巻芯１１とウエイトバー１２とを取付け、これをロールカーテンの巻き取りスプリング部１３に取り付けて完成する。図７は、この方法により試作したロールカーテンの一例を示す参考写真である。
【００２１】
また、図５では、ロールカーテンに適用した場合を説明したが、ロールカーテンに代えて、ロールスクリーンのような巻き取り装置のない、いわゆるパネルカーテンとして利用しても良い。
【００２２】
或いは、図６（ａ）に示すように、図３（ｆ）で得られたカーテン用布地１０を超音波ミシンにより短冊状に切断し、バーチカルブラインド３０のルーバー１５に貼り付けることにより、バーチカルブラインドとして利用してもよい。
【産業上の利用可能性】
【００２３】
本発明に係るカーテン用生地の製造方法は、同種又は異種の着物地を連続した１枚の生地のようにできるため、任意のカーテン用布地に応用することができ、インテリアの選択の余地が大幅に拡大する。従って、本発明の産業上の利用可能性は極めて大きい。
【図面の簡単な説明】
【００２４】
【図１】図１（ａ）は、本発明に係るロールカーテンに用いられるカーテン用布地を示す全体斜視図であり、図１（ｂ）は（ａ）のＡ−Ａ線断面図である。
【図２】図２（ａ）乃至（ｃ）は、カーテン用布地１０を製造する工程を示す工程図である。
【図３】図３（ｄ）乃至（ｆ）は、カーテン用布地１０を製造する工程を示す工程図である。
【図４】図４は、フラットローラーにより、仮接着部の突起部を押しつぶす様子を示す概念図である。
【図５】図５（ａ）及び（ｂ）は、図３（ｆ）の状態からロールカーテンを製造するまでの工程を示す工程図である。
【図６】図６は本発明に係る製造方法で製造したカーテン用布地をバーチカルブラインドに適用した様子を示す図である。
【図７】図７は本発明に係る製造方法で製造したカーテン用布地を用いて作製したロールカーテンの一例を示す参考写真である。
【符号の説明】
【００２５】
１ａ、１ｂ  第１の着物地
２  第２の着物地
５  裏芯地
６  フラットプレス
１０  カーテン用布地
１１  巻芯
１２  ウエイトバー
１５  ルーバー
３０  バーチカルブラインド
【図１】
2006314360.tif 000003
【図２】
2006314360.tif 000004
【図３】
2006314360.tif 000005
【図４】
2006314360.tif 000006
【図５】
2006314360.tif 000007
【図６】
2006314360.tif 000008
【図７】
2006314360.tif 000009